(57)【要約】      （修正有）【課題】簡易な構成でありながら角度調整を容易に行える什器を提供する。【解決手段】隣り合う衝立パネルを相互に連結させて成る什器において、隣り合う衝立パネルのうち第１衝立パネル（センターパネル）１０は、第１側端部に底面が開口した外筒１４Ａを備え、隣り合う衝立パネルのうち第２衝立パネル（サイドパネル）２０は、第１側端部に対向する第２側端部に上面が開口し外筒１４Ａ内に挿入可能な内筒２４Ａを備え、外筒１４Ａ内に、当該外筒の内壁から中心に向かい且つ中心軸Ｌと直交する方向に沿って延在した固定ピン１５が備えられ、内筒２４Ａの上部には、内筒２４Ａの周縁において中心を挟んで、対向する位置を一対とする切欠きが複数対形成され、外筒１４Ａを内筒２４Ａの上方から被せて固定ピン１５を所定の切欠きに係合させることによって、隣り合う衝立パネル間の開き角度が所定の角度に調整される。【選択図】図６
0003146602.tif 000002
【実用新案登録請求の範囲】
【請求項１】
隣り合う衝立パネルを相互に連結させて成る什器において、
前記隣り合う衝立パネルのうち、第１衝立パネルは、
第１側端部に、底面が開口した外筒を備え、
前記隣り合う衝立パネルのうち、第２衝立パネルは、
前記第１側端部に対向する第２側端部に、上面が開口し、前記外筒内に挿入可能な内筒を備え、
前記外筒内に、当該外筒の内壁から中心に向かい且つ中心軸と直交する方向に沿って延在した固定ピンが備えられ、
前記内筒の上部には、前記内筒の周縁において中心を挟んで対向する位置を一対とする切欠きが複数対形成され、
前記外筒を前記内筒の上方から被せて前記固定ピンを所定の前記切欠きに係合させることによって、前記隣り合う衝立パネル間の開き角度が所定の角度に調整されることを特徴とする什器。
【請求項２】
前記開き角度は、９０度又は１８０度であることを特徴とする請求項１に記載の什器。
【請求項３】
前記外筒及び前記内筒は、円筒形状をなし、
前記第１衝立パネルは、
前記外筒の下方に位置して前記第１側端部から突出する突出片を備え、
前記第２衝立パネルに連結された前記第１衝立パネルを上方に持ち上げた際に、前記突出片が、前記内筒の底面に当接するように構成され、
当該当接位置は、前記固定ピンと前記切欠きとの係合が解除される位置であって、前記外筒が前記内筒から抜けない位置とされていることを特徴とする請求項２に記載の什器。
【請求項４】
前記外筒及び前記内筒は、各々衝立パネルの上下方向に沿って複数個設けられていることを特徴とする請求項３に記載の什器。
【考案の詳細な説明】
【技術分野】
【０００１】
本考案は、什器に関する。
【背景技術】
【０００２】
従来、例えば、特開２００１−３０４２１３号公報に開示されるように、室内空間の間仕切りや目隠し、インテリアとして用いられる衝立と称される什器が知られている。
この種の什器は、例えば、複数個の面状のパネルが蝶番を介して開閉自在に連結して構成されており、隣接するパネルの成す角度を変化させることにより、視覚を遮る方向を調整することができる。
また、例えば店舗の展示等に用いる什器として、隣接するパネルの成す角度を適宜変更して固定する構成のものも知られており、広大な展示空間であっても所定のレイアウトを実現することができる。
【考案の開示】
【考案が解決しようとする課題】
【０００３】
このような什器は、室内空間のレイアウトをできるだけ簡単に変更させるため、隣接パネル間の開き角度の調整をより簡単に行える構成であることが望ましい。
しかしながら、上記した蝶番を用いた構成では、開閉自在である為、所望の角度に正確に合わせるのに時間がかかるという問題があった。また、例えば、段階的に開き角度を変化させてその角度で固定するロック機構等の角度調整機構を設けた場合には、複雑な構成となってしまうという問題があった。
【０００４】
本考案の課題は、簡易な構成でありながら角度調整を容易に行える什器を提供することである。
【課題を解決するための手段】
【０００５】
請求項１に記載の考案は、
隣り合う衝立パネルを相互に連結させて成る什器において、
前記隣り合う衝立パネルのうち、第１衝立パネルは、
第１側端部に、底面が開口した外筒を備え、
前記隣り合う衝立パネルのうち、第２衝立パネルは、
前記第１側端部に対向する第２側端部に、上面が開口し、前記外筒内に挿入可能な内筒を備え、
前記外筒内に、当該外筒の内壁から中心に向かい且つ中心軸と直交する方向に沿って延在した固定ピンが備えられ、
前記内筒の上部には、前記内筒の周縁において中心を挟んで対向する位置を一対とする切欠きが複数対形成され、
前記外筒を前記内筒の上方から被せて前記固定ピンを所定の前記切欠きに係合させることによって、前記隣り合う衝立パネル間の開き角度が所定の角度に調整されることを特徴とする。
【０００６】
請求項２に記載の考案は、請求項１に記載の什器において、
前記開き角度は、９０度又は１８０度であることを特徴とする。
【０００７】
請求項３に記載の考案は、請求項２に記載の什器において、
前記外筒及び前記内筒は、円筒形状をなし、
前記第１衝立パネルは、
前記外筒の下方に位置して前記第１側端部から突出する突出片を備え、
前記第２衝立パネルに連結された前記第１衝立パネルを上方に持ち上げた際に、前記突出片が、前記内筒の底面に当接するように構成され、
当該当接位置は、前記固定ピンと前記切欠きとの係合が解除される位置であって、前記外筒が前記内筒から抜けない位置とされていることを特徴とする。
【０００８】
請求項４に記載の考案は、請求項３に記載の什器において、
前記外筒及び前記内筒は、各々衝立パネルの上下方向に沿って複数個設けられていることを特徴とする。
【考案の効果】
【０００９】
本考案によれば、外筒を内筒の上方から被せて固定ピンを所定の切欠きに係合させることによって、隣り合う衝立パネル間の開き角度が所定の角度に調整されるので、簡易な構成でありながら、複数のパネルを有する什器の開き角度の調整を容易に行うことができる。
【考案を実施するための最良の形態】
【００１０】
以下、図を参照して本考案の実施の形態を説明する。
図１は、本考案にかかる什器１を示す外観図である。また、図２は、センターパネル１０の正面図であり、図３は、サイドパネル２０の正面図である。また、図４は、センターパネル１０の一側端における要部拡大図であり、図５は、サイドパネル２０の一側端における要部拡大図である。
【００１１】
図１に示すように、本実施形態における什器１は、センターパネル（第１衝立パネル）１０と、このセンターパネル１０の両側にそれぞれ隣接した２枚のサイドパネル（第２衝立パネル）２０、２０と、を備えて構成されている。什器１は、隣り合うパネル同士が相互に連結され、隣り合うパネル間の開き角度が適宜変更されて空間の間仕切りを行うものである。
【００１２】
図２に示すように、センターパネル１０は、上下一対の水平枠部材１１ａ、１１ａと、この水平枠部材１１ａ、１１ａに垂直な左右一対の垂直枠部材１１ｂ、１１ｂと、からなる矩形の枠体１１を備えている。また、図３に示すように、サイドパネル２０も、上下一対の水平枠部材２１ａ、２１ａと、この水平枠部材２１ａ、２１ａに垂直な左右一対の垂直枠部材２１ｂ、２１ｂと、からなる矩形の枠体２１を備えている。
枠体１１、２１の内面側には、それぞれ、所定のピッチで、上下方向及び左右方向に格子状にネット部材１２、２２が設けられることで格子面が形成されており、各パネルの格子面にそれぞれ装飾品の陳列等を行うことができるようになっている。
なお、本実施形態においては、センターパネル１０は、例えば、サイドパネル２０の２倍の幅となるように設計されている。
【００１３】
センターパネル１０の枠体１１の左右両側端部（第１側端部）１３Ｌ、１３Ｒには、３つの外筒１４Ａ、１４Ｂ、１４Ｃが、上下方向に沿って設置されている。
外筒１４Ａ〜Ｃは、図４に示すように、例えば、円筒形状をなし、その内部に当該外筒１４の中心軸Ｌを通り、且つ中心軸Ｌと直交する方向に沿った固定ピン１５を備えている。
これらの外筒１４Ａ〜Ｃは、本実施形態においては、例えば、枠体１１の左右両側端部１３Ｌ、１３Ｒにおける上部、下部、中央部の３箇所に設置されており、センターパネル１０とサイドパネル２０とを連結した際に、より確実に固定できるようになっている。
また、外筒１４Ａ〜Ｃは、その底面が開口し、上面にはキャップ部材１６が取り付けられており、外部から内部に塵等が堆積することを防止できるようになっている。
【００１４】
左右両側端部１３Ｌ、１３Ｒにおける複数の外筒１４Ａ〜Ｃのうち、最上部に設置された外筒１４Ａの下方には、枠体１１の側端部１３Ｌ、１３Ｒから突出する突出片１７が設置されている。
突出片１７は、図４に示すように、例えば、金属板をＬ字状に曲げ加工したものからなり、その屈曲部１７ａを挟んだ一辺１７ｂが、センターパネル１０の側端部１３Ｌ、１３Ｒに溶接又はビス止め等により固定されている。
【００１５】
サイドパネル２０の枠体２１の一側端部（第２側端部）２３には、３つの内筒２４Ａ、２４Ｂ、２４Ｃが、上下方向に沿って設置されている。
内筒２４Ａ〜Ｃは、図５に示すように、例えば、外筒１４Ａ〜Ｃの内径よりも小さい外径の円筒形状をなし、その上面が開口し、下面は閉塞されている。内筒２４Ａ〜Ｃの上部には、内筒２４Ａ〜Ｃの周縁において、中心を挟んで対向する位置を一対とする切欠き２５が複数対形成されている。本実施形態においては、例えば、４箇所、すなわち二対の切欠き２５、２５が形成された構成となっている。また、これら切欠き２５の角は面取り処理が施されており、切欠き２５の鋭利な部位が取り除かれた形状となっている。
【００１６】
これらの内筒２４Ａ〜Ｃは、センターパネル１０の外筒１４Ａ〜Ｃと対向する位置に、外筒１４Ａ〜Ｃと同数となるよう設置され、外筒１４Ａ〜Ｃの下方からそれぞれ挿通されている。
外筒１４Ａ〜Ｃ内の固定ピン１５は、パネルの組み立てに際して内筒２４Ａ〜Ｃの切欠き２５の何れかに係合するようになっており、これによって隣り合うパネル間の開き角度が調整可能となっている。本実施形態においては、この開き角度は、９０度又は１８０度に設定可能である（図７参照。）。
【００１７】
また、固定ピン１５と切欠き２５との係合を解除する場合、外筒１４Ａを上方に持ち上げた際に突出片１７が、内筒２４Ａの底面に当接するように構成されている。
ここで、突出片１７と内筒２４Ａの底面とが当接する位置は、固定ピン１５と切欠き２５との係合が解除される位置であって、外筒１４Ａが内筒２４Ａから抜けない位置となるように設定されている。
【００１８】
また、センターパネル１０の枠体１１の下部には、センターパネル１０を垂直方向に起立させる２本の支柱１８、１８が備えられている。
また、サイドパネル２０の枠体２１の下部には、回転自在な２つのキャスター２８、２８が備えられており、このキャスター２８、２８によって当該サイドパネル２０、２０を移動させてパネル間の開き角度を変更できるようになっている。また、キャスター２８、２８には回転を止めるストッパーが備えられており、センターパネル１０とサイドパネル２０とを所定の角度に開いて固定した際のキャスター２８、２８の車輪の回転を防止するようになっている。
【００１９】
次に、本実施形態の什器１の隣り合うパネル同士の連結機構について説明する。
図６（ａ）は、センターパネル１０とサイドパネル２０とが係合された状態を示す図であり、図６（ｂ）は、センターパネル１０とサイドパネル２０との係合を解除した状態を示す図である。また、図７は、センターパネル１０とサイドパネル２０との間の開き角度の変更の様子を示した什器１の上面図である。
【００２０】
図６（ａ）に示すように、センターパネル１０とサイドパネル２０とは、外筒１４Ａ〜Ｃを内筒２４Ａ〜Ｃの上方から被せ、外筒１４Ａ〜Ｃ内の固定ピン１５を、内筒２４Ａ〜Ｃ上部に形成された切欠き２５に係合させることで固定される。
【００２１】
隣接パネル間の開き角度を変更する場合、図６（ｂ）に示すように、まず、サイドパネル２０に連結されたセンターパネル１０を上方へ持ち上げて固定ピン１５を切欠き２５から外すことにより、係合を解除する。このとき、センターパネル１０を上方に持ち上げると、外筒１４Ａが内筒２４Ａから抜ける前に突出片１７が内筒２４Ａの底面に当接する為、外筒１４Ａが内筒２４Ａから完全に抜けることがない。
センターパネル１０とサイドパネル２０との開き角度は、切欠き２５を選択することで所望の角度に調整することが可能である。図７に示すように、本実施形態においては、この開き角度は、センターパネル１０平面とサイドパネル２０平面とが一面となる１８０度、又はセンターパネル１０平面とサイドパネル２０平面とが直交する９０度に設定可能である。
次に、サイドパネル２０を所定の角度まで回転移動させ、固定ピン１５を係合させる切欠き２５を変更する。その後、センターパネル１０を下方に下ろし、再度、固定ピン１５及び切欠き２５を係合させて、開き角度の変更が完了する。
【００２２】
以上のように、本考案の什器１によれば、外筒１４Ａ〜Ｃを内筒２４Ａ〜Ｃの上方から被せて固定ピン１５を所定の切欠き２５に係合させることによって、隣り合うパネル間の開き角度が所定の角度に調整される為、簡易な構成でありながら、比較的簡単な作業で確実に開き角度の調整を行うことができる。
また、開き角度を変更する際に、外筒１４Ａ〜Ｃの固定ピン１５及び内筒２４Ａ〜Ｃの切欠き２５の係合を解除した場合であっても、最上部の外筒１４Ａが内筒２４Ａから完全に抜けることがない為、作業を最小限の動きで行うことができる。すなわち、開き角度の調整をより容易に行うことができる。
また、外筒１４及び内筒２４が複数個設置されている為、確実に固定することができる。
【００２３】
なお、本実施形態では、パネルは３枚で構成されているが、パネル数はこれに限定されない。また、パネルの枠体で囲われた部位には、ネット部材１２、２２の代わりに平面パネルや布幕等を装着した構成としても良い。
また、本実施形態では、３つの外筒１４Ａ〜Ｃ及び内筒２４Ａ〜Ｃを備えた構成としているが、外筒及び内筒の数はこれに限定されるものではなく、パネルの大きさに合わせて設定可能である。
【００２４】
また、本実施形態では、突出片１７は、最上部の外筒１４Ａの下方にのみに設置された構成であるが、全ての外筒１４Ａ〜Ｃの下方に備えることとしても良い。また、突出片１７を設置しない場合、内筒２４を外筒１４から取り外して角度を調整した後に、再度、内筒２４を外筒１４に挿通させて開き角度の変更を行うこととなる為、外筒１４及び内筒２４は円筒形状以外で構成することも可能である。
【００２５】
また、本実施形態では、センターパネル１０及びサイドパネル２０の開き角度は、９０度又は１８０度となるように切欠き２５を形成しているが、切欠き２５の数や形成箇所を適宜設定して上記以外の開き角度を実現するように構成することもできる。
また、固定ピン１５は、外筒１４の中心を通らなくてもよい。すなわち、内筒２４の切欠き２５に係合できる程度に延在していればよい。
【図面の簡単な説明】
【００２６】
【図１】本考案における什器である什器１の外観図である。
【図２】什器１のセンターパネル１０の正面図である。
【図３】什器１のサイドパネル２０の正面図である。
【図４】センターパネル１０の要部拡大図である。
【図５】サイドパネル２０の要部拡大図である。
【図６】（ａ）は、センターパネル１０とサイドパネル２０とが係合された状態を示す図であり、（ｂ）は、センターパネル１０とサイドパネル２０との係合を解除した状態を示す図である。
【図７】センターパネル１０とサイドパネル２０との間の開き角度の変更の様子を示した什器１の上面図である。
【符号の説明】
【００２７】
１    什器
１０  センターパネル
１１    枠体
１１ａ  水平枠部材
１１ｂ  垂直枠部材
１２    ネット部材
１３Ｌ、１３Ｒ  側端部（第１側端部）
１４    外筒
Ｌ      中心軸
１５    固定ピン
１６    キャップ部材
１７    突出片
１７ａ  屈曲部
１７ｂ  一辺
１８    支柱
２０  サイドパネル
２１    枠体
２１ａ  水平枠部材
２１ｂ  垂直枠部材
２２    ネット部材
２３    側端部（第２側端部）
２４    内筒
２５    切欠き
２８    キャスター
【図１】
0003146602.tif 000003
【図２】
0003146602.tif 000004
【図３】
0003146602.tif 000005
【図４】
0003146602.tif 000006
【図５】
0003146602.tif 000007
【図６】
0003146602.tif 000008
【図７】
0003146602.tif 000009